(57)【特許請求の範囲】
【請求項１】
略長方形状のベンチ（５）を載置し、下面に略Ｔ字状に形成した固定脚（３）をブラケットを介して揺動固定自在に取り付けると共に、略Ｔ字状に形成した可変脚（４）をブラケット（７）を介して傾斜角度を可変し得るように取り付けた、載置したベンチ（５）の横幅中央を通る、断面が四角形状の１本の固定フレーム（２）と、
該１本の固定フレーム（２）の下面に取り付けた挿通枠（１０）に前後動自在に装着した可動フレーム（９）と、
該可動フレーム（９）の先端部（９ａ）に、その位置を可変し得るように取り付けた、略Ｌ字状の支持枠（１２）に足を掛け止めるように間隔を調節自在に取り付けた３本の棒状部材（１３）から成る足掛止具（６）と、
前記ベンチ（５）下面において固着した、略横幅一杯の間隔を有するブラケット（１６）に、１本の長尺の駆動ボルト（１７）を該ベンチ（５）の長手方向に対して直角方向に嵌合し、
該駆動ボルト（１７）に、略へ字状に構成した２本の棒状部材（１８）を、各先端部のナット（１９）を介して螺合し、
該棒状部材（１８）の両後端部は、前記可動フレーム（９）の後端部（９ｂ）に対してへ字状かつ開閉自在に成るように連結して連結部分（２１）を形成し、  前記２個のナット（１９）に、前記駆動ボルト（１７）に連結した操作ハンドル（２０）を回動操作することにより、前記棒状部材（１８）と前記可動フレーム（９）の後端部（９ｂ）との連結部分（２１）の開閉角度を鋭角又は鈍角に変化させて可動フレーム（９）を前後動させるように構成した駆動機構（１１）と、
を備えた、ことを特徴とする身体伸長器。
【請求項２】
略長方形状のベンチ（５）を載置し、下面に略Ｔ字状に形成した固定脚（３）をブラケットを介して揺動固定自在に取り付けると共に、略Ｔ字状に形成した可変脚（４）をブラケット（７）を介して傾斜角度を可変し得るように取り付けた、載置したベンチ（５）の横幅中央を通る、断面が四角形状の１本の固定フレーム（２）と、
該１本の固定フレーム（２）内に摺動自在に挿通して前後動自在に装着した可動フレーム（９）と、
該可動フレーム（９）の先端部（９ａ）に、その位置を可変し得るように取り付けた、略Ｌ字状の支持枠（１２）に足を掛け止めるように所定間隔を調節自在に取り付けた３本の棒状部材（１３）から成る足掛止具（６）と、
前記可動フレーム（９）の先端部に取り付けた足掛止具（６）を元の位置に戻るように、前記可動フレーム（９）と固定フレーム（２）との間に介在させたばねと、
前記ベンチ（５）下面に設けたブラケット（２９）に、押圧レバー（２７）を回動軸（３０）を介して回動自在に取り付け、該回動軸（３０）に連結した操作アーム（２８）を回動操作することにより、前記押圧レバー（２７）が前記可動フレーム（９）の後端部を押圧し、該可動フレーム（９）を前方向に移動させると共に、後方向は前記ばねの引張り力で移動し得るよう前後動し得るように構成した駆動機構（１１）と、
を備えた、ことを特徴とする身体伸長器。
【請求項３】
前記足掛止具（６）をその足元側から前方へ突出させたときに、前記使用者が足元前方側へ引っ張られないように、該使用者の上半身を固定するために、前記ベンチ（５）の上面に載置する身体固定具（２２）であって、
前記身体固定具（２２）は、前記使用者が仰向けに寝た状態で首から背中の形状に沿って上半身の略全体が嵌るように凹凸面を形成した、クッション性を有する素材から成る固定具本体（２３）と、
該固定具本体（２３）に連続するように形成した、首を掛け止める略半円状に凹んだ首用凹部（２４）と、後頭部を支えるように該首用凹部（２４）から連続するように形成した略半円状に突設する頭部支持部（２６）と、前記固定具本体（２３）に連続するように２ヵ所に形成した、両腕を掛け止める略半円状に凹んだ各脇用凹部（２５）とから成り、
前記固定具本体（２３）は、前記足掛止具（６）で足の関節や背骨を痛める程度の強力な牽引力で足首を引っ張ったときに、前記使用者の両腕が両脇用凹部（２５）から外れ、次に首が首部凹部（２４）から外れる程度に変形し得る素材から成る、ことを特徴とする請求項１又は２の身体伸長器。
【発明の詳細な説明】
【０００１】
【発明の属する技術分野】
本発明は、人体の足首、膝、股の関節、腰椎などの歪曲を矯正して身長を伸ばすことができる健康器具に係り、特にその伸長操作を容易に行い得る身体伸長器に関するものである。
【０００２】
【従来の技術】
従来より背骨又は腰椎等の歪曲を矯正して身長を伸ばす器具としては、傾斜式の身体伸長器５１がある。この傾斜式身体伸長器５１は、図１４に示すように、長さが異なる脚５２，５３上にベンチ５４を傾斜して載置し、このベンチ５４の高い側に足掛止具５５を設けたものである。この身体伸長器５１を使用するときは、使用者は足首を足掛止具５５に掛け止め、頭側を低い位置にしてその体重で下半身を伸長させるものである。
【０００３】
また、強制的に全身を伸ばす器具としては、牽引式の身体伸長器６１がある。この身体伸長器６１は、図１５に示すように、床面に立てた２本の脚６２，６２上にベンチ６３を載置し、このベンチ６３の一側に足掛止部６４を設け、ベンチ６３の他側に、ベルト状の胴掛止具６５のゴム６６の先に取り付けたフック６７を引っ掛ける掛止枠６８を設けたものである。この身体伸長器６１を使用するときは、使用者は先ず胴体を胴掛止具６５のベルトに巻付け、その状態でベンチ６３に仰向けになり、次に足首を足掛止部６４に掛け止め、胴掛止具６５に連結したゴム６６の引張力で胴掛止具６５を足掛止具６４から離間することにより、使用者の背骨、腰椎又は両足の関節を伸長させるものである。
【０００４】
【発明が解決しようとする課題】
しかし、従来の傾斜式身体伸長器５１は、使用者が傾斜したベンチ５４に寝た状態で身体を伸長させ、使用者の体重だけで下半身を伸長させるものであるため、使用者の背骨や腰椎を十分に伸長させることができないという問題を有していた。
【０００５】
また、牽引式の身体伸長器６１では、胴掛止具６５に連結したゴム６６の引張力で胴掛止具６５を足掛止具６４から離間するものであるため、この胴掛止具６５を身体に装着した状態で、そのゴム６６先端のフック６７を頭部側の掛止枠６８に引っ掛けることが困難であるという操作上の問題を有していた。
【０００６】
本発明は、上記問題に鑑みて創案されたものであり、足首及び上半身を容易に固定することができると共に、足掛止具を前後方向へ移動させる操作を、仰向けに寝た状態の使用者の手元で容易かつ微妙に調節することができる身体伸長器を提供することを目的とするものである。
【０００７】
【課題を解決するための手段】
上記目的を達成するために、本発明に係る身体伸長器は、略長方形状のベンチ（５）を載置し、下面に略Ｔ字状に形成した固定脚（３）をブラケットを介して揺動固定自在に取り付けると共に、略Ｔ字状に形成した可変脚（４）をブラケット（７）を介して傾斜角度を可変し得るように取り付けた、載置したベンチ（５）の横幅中央を通る、断面が四角形状の１本の固定フレーム（２）と、該１本の固定フレーム（２）の下面に取り付けた挿通枠（１０）に前後動自在に装着した可動フレーム（９）と、該可動フレーム（９）の先端部（９ａ）に、その位置を可変し得るように取り付けた、略Ｌ字状の支持枠（１２）に足を掛け止めるように間隔を調節自在に取り付けた３本の棒状部材（１３）から成る足掛止具（６）と、前記ベンチ（５）下面において固着した、略横幅一杯の間隔を有するブラケット（１６）に、１本の長尺の駆動ボルト（１７）を該ベンチ（５）の長手方向に対して直角方向に嵌合し、該駆動ボルト（１７）に、略へ字状に構成した２本の棒状部材（１８）を、各先端部のナット（１９）を介して螺合し、該棒状部材（１８）の両後端部は、前記可動フレーム（９）の後端部（９ｂ）に対してへ字状かつ開閉自在に成るように連結して連結部分（２１）を形成し、  前記２個のナット（１９）に、前記駆動ボルト（１７）に連結した操作ハンドル（２０）を回動操作することにより、前記棒状部材（１８）と前記可動フレーム（９）の後端部（９ｂ）との連結部分（２１）の開閉角度を鋭角又は鈍角に変化させて可動フレーム（９）を前後動させるように構成した駆動機構（１１）と、を備えたことを要旨とするものである。
【０００８】
また、略長方形状のベンチ（５）を載置し、下面に略Ｔ字状に形成した固定脚（３）をブラケットを介して揺動固定自在に取り付けると共に、略Ｔ字状に形成した可変脚（４）をブラケット（７）を介して傾斜角度を可変し得るように取り付けた、載置したベンチ（５）の横幅中央を通る、断面が四角形状の１本の固定フレーム（２）と、該１本の固定フレーム（２）内に摺動自在に挿通して前後動自在に装着した可動フレーム（９）と、該可動フレーム（９）の先端部（９ａ）に、その位置を可変し得るように取り付けた、略Ｌ字状の支持枠（１２）に足を掛け止めるように所定間隔を調節自在に取り付けた３本の棒状部材（１３）から成る足掛止具（６）と、前記可動フレーム（９）の先端部に取り付けた足掛止具（６）を元の位置に戻るように、前記可動フレーム（９）と固定フレーム（２）との間に介在させたばねと、前記ベンチ（５）下面に設けたブラケット（２９）に、押圧レバー（２７）を回動軸（３０）を介して回動自在に取り付け、該回動軸（３０）に連結した操作アーム（２８）を回動操作することにより、前記押圧レバー（２７）が前記可動フレーム（９）の後端部を押圧し、該可動フレーム（９）を前方向に移動させると共に、後方向は前記ばねの引張り力で移動し得るよう前後動し得るように構成した駆動機構（１１）と、を備えたものである。
【０００９】
上記構成の身体伸長器によれば、使用者はベンチ（５）に座った状態で両足首をそれぞれの足掛止具（６）に掛け止める。次に、仰向けに寝た状態で使用者が駆動機構（１１）に連結した操作ハンドル（２０）を徐々に回転させることにより、へ字状に構成した棒状部材（１８）の連結部分の開閉角度を変化させて、可動フレーム（９）をその先端部側へ移動させ、可動フレーム（９）の先端部（９ａ）に設けた足掛止具（６）をベンチ（５）の足元側から突出させる。而して、足掛止具（６）で足が伸ばされることにより、使用者の背骨、腰椎又は両足の関節を伸長させて身長を伸ばすことができる。なお、足掛止具（６）の突出距離が長すぎて、身体に苦痛を感じたときは操作ハンドル（２０）を逆転させ、足掛止具（６）の突出距離を縮めることができる。このように足掛止具（６）の突出距離を手元の操作ハンドル（２０）で容易かつ微妙に調節することができる。
前記固定フレーム（２）に対して、傾斜して取り付けることができる可変脚（４）は、その傾斜角度を適宜可変することにより、ベンチ（５）全体の傾斜角度を変化させることができる。
また、可動フレーム（９）の先端部（９ａ）に対して、足掛止具（６）の支持位置を可変し得るように取り付けているので、使用者の身長の高低に応じて足掛止具（６）の適切な取付位置を容易に調節することができる。
また、駆動機構（１１）を構成する押圧レバー（２７）の場合は、この押圧レバー（２７）の回動軸（３０）に連結してある操作アーム（２８）を使用者が回動操作することにより、可動フレーム（９）先端部（９ａ）の足掛止具（６）をベンチ（５）の足元側から突出させることも可能である。
【００１０】
更に、前記足掛止具（６）をその足元側から前方へ突出させたときに、前記使用者が足元前方側へ引っ張られないように、該使用者の上半身を固定するために、前記ベンチ（５）の上面に載置する身体固定具（２２）であって、前記身体固定具（２２）は、前記使用者が仰向けに寝た状態で首から背中の形状に沿って上半身の略全体が嵌るように凹凸面を形成した、クッション性を有する素材から成る固定具本体（２３）と、該固定具本体（２３）に連続するように形成した、首を掛け止める略半円状に凹んだ首用凹部（２４）と、後頭部を支えるように該首用凹部（２４）から連続するように形成した略半円状に突設する頭部支持部（２６）と、前記固定具本体（２３）に連続するように２ヵ所に形成した、両腕を掛け止める略半円状に凹んだ各脇用凹部（２５）とから成り、前記固定具本体（２３）は、前記足掛止具（６）で足の関節や背骨を痛める程度の強力な牽引力で足首を引っ張ったときに、前記使用者の両腕が両脇用凹部（２５）から外れ、次に首が首部凹部（２４）から外れる程度に変形し得る素材から成るものである。
【００１１】
上記構成の身体固定具（２２）によれば、使用者が、その両足首を足掛止具（６）に掛け止めた後に、身体固定具（２２）上に仰向けに寝れば、そのまま首は首用凹部（２４）に、両腕は両脇用凹部（２５）にそれぞれ固定することになり、上半身の身体伸長器（１）への固定が容易に完了する。この状態で、操作ハンドル（２０）を回転させて徐々に足掛止具（６）を足元側から突出させ、足掛止具（６）と身体固定具（２２）との間隔を離間させ、使用者の背骨、腰椎に限らず両足の関節まで全身を伸長させて身長を伸ばすことができる。
特に、この身体固定具（２２）は、首用凹部（２４）と、頭部支持部（２６）と、脇用凹部（２５）とが、クッション性を有する素材から成る固定具本体（２３）を中心にして曲面で繋がっているので、足掛止具（６）で足の関節や背骨を痛める程度の強力な牽引力で足首を引っ張ったときに、使用者の両腕が両脇用凹部（２５）から外れ、次に首が首部凹部（２４）から容易に外れるために、足の関節や背骨を痛めるというおそれを解消することができる。
【００１２】
【発明の実施の形態】
以下、本発明に係る身体伸長器の好適な発明の実施の形態を図面に従って説明する。
図１乃至図５は本発明に係る身体伸長器の第一の発明の実施の形態を示すものであり、  図１は身体伸長器の全体構成を示すものである。
身体伸長器１は、固定フレーム２に固定脚３と可変脚４とを所定間隔をあけて固定し、この固定フレーム２上に略長方形状のベンチ５（５ａ，５ｂ）をその長手方向に載置したものである。更に、このベンチ５の下面において、固定フレーム２に対してその長手方向に前後動するように足掛止具６を設けたものである。使用者は、この足掛止具６に足首を掛け止め、ベンチ５上に仰向けになって、その全身を伸長させることができる。
【００１３】
固定脚３は、金属製のパイプを略Ｔ字状に形成したものを、固定フレーム２に固着したブラケットに、逆向きにして揺動自在に取り付けたものである。この固定脚３は、身体伸長器１を使用するときは、ブラケット（図示していない）部分から垂直に固定する。一方、身体伸長器１を使用しないときは、ブラケット部分で折り曲げ得るようになっている。
【００１４】
図２は可変脚をベンチの下側から見た状態を示すものである。可変脚４は、固定脚３と同様に金属製のパイプを略Ｔ字状に形成したものを、固定フレーム２に固着したブラケット７に、逆向きに揺動自在に取り付けたものである。この可変脚４は、ブラケット７に対して傾斜して固定することができ、その傾斜角度を適宜選択することによってベンチ５の傾斜角度を可変することができるようになっている。この可変脚４の全長は固定脚３の全長と略同じであるが、ベンチ５に対して直立するように垂下させたときは、ベンチ５を水平に支持することができる。一方、この可変脚４をベンチ５に対して鋭角になるまで傾斜させると、ベンチ５を大きく傾斜させることができる。なお、この可変脚４もブラケット７部分で折り曲げて畳み込めるようになっている。これらの固定脚３及び可変脚４の各下端部には身体伸長器１の滑りを防止すると共に、床面を傷つけないようにゴム製のストッパー８をそれぞれ装着してある。
【００１５】
ベンチ５は使用者がその上に仰向けに寝た状態で身体を伸長させるものであり、木製の板の表面に薄いクッションを張設したもの、又は単に木製の板材の何れであってもよい。また、このベンチ５（５ａ，５ｂ）を２枚に分割し得るように構成することも可能である。このように、ベンチ５（５ａ，５ｂ）を２枚に分割することによって、本発明に係る身体伸長器１を分解して保管するときにコンパクトにまとめることができるという特徴がある。また、これらの２枚のベンチ５ａ，５ｂを微妙に傾斜させて設置することも可能になる。更に、このベンチ５を固定フレーム２に対して着脱自在に構成することも、又は固定フレーム２に固着したもののいずれでもよい。
【００１６】
図３は足掛止具を前後動させる可動フレームと固定フレームとの構成を示すものである。固定フレーム２は断面が四角形状の金属製パイプから成り、この固定フレーム２に対して金属製パイプから成る可動フレーム９を挿通枠１０を介して前後動自在に装着してある。この可動フレーム９の先端部９ａに足掛止具６を着脱自在に取り付けてある。なお、可動フレーム９を２分割することも可能である。例えば、可動フレーム９の後端側は駆動機構１１に常時連結しておき、可動フレーム９の先端側は、この可動フレーム９の後端側に対して着脱自在に連結するように構成することもできる。
【００１７】
図４は足掛止具を示すものである。足掛止具６は、使用者の身体の足を固定するものであり、可動フレーム９の先端部９ａに着脱自在に取り付ける略Ｌ字形状をした支持部材１２に、足首を挟持するために足の甲部分、かかと部分と爪先部分を挟み込むように所定間隔をあけた３本の棒状部材１３，１３，１３を、可動フレーム９（固定フレーム２）の長手方向に対して直角になるように固定したものである。本発明の実施の形態では、使用者の足の大小の差を吸収し得ると共に、長時間の使用に際して足首を痛めないようにするために、棒状部材１３，１３，１３の周囲に筒状のウレタンラバー１４を着脱自在に巻き付けてある。更に、この棒状部材１３，１３，１３の間隔は、足首の大きさ、爪先の厚み等に応じてその間隔を長くしたり、短くするように調節できるようになっている。なお、足の甲部分とかかと部分を挟み込むように所定間隔をあけた２本の棒状部材１３，１３で足掛止具６を構成することも可能である。
【００１８】
また、本発明の実施の形態では、使用者の身長の高低の差や足の長短の差を吸収し得るように、可動フレーム９の先端部９ａに対して、支持部材１２の接合部１２ａとの接合位置を可変し得るようになっている。例えば、身長の高い人が身体伸長器１を使用するときは、支持部材１２の接合部１２ａを、可動フレーム９の先端部９ａから引き出した状態で連結し、その接合部分にピン１５又はボルト等を挿抜自在に差し込む。逆に、身長の低い人の場合は、支持部材１２の接合部１２ａを、可動フレーム９の先端部９ａに押し込んだ状態で連結することにより、足掛止具６の取付位置を調節することができるようになっている。
【００１９】
図５はジャッキアップ方式の駆動機構の構成を示すものである。駆動機構１１は、所謂ジャッキアップ方式の構成をしたもので、可動フレーム９の先端に着脱自在に連結した足掛止具６を前後方向へ移動させる。この駆動機構１１は、ベンチ５下面において略横幅一杯の間隔を有するブラケット１６を固着し、このブラケット１６に１本の長尺の駆動ボルト１７をベンチ５の長手方向に対して直角方向に螺合する。２本の棒状部材１８，１８の各先端部は駆動ボルト１７にナット１９を介して螺合し、一方、この棒状部材１８，１８の両後端部は可動フレームの後端部９ｂに対してへ字状かつ開閉自在に成るように連結する。これら２個のナット１９，１９は駆動ボルト１７の頭部側に連結した操作ハンドル２０の回動操作により、へ字状に構成した２本の棒状部材１８，１８と可動フレーム９の後端部９ｂとの連結部分２１の開閉角度を鋭角又は鈍角に変化させて可動フレーム９を前後動させることができるように構成したものである。
【００２０】
操作ハンドル２０を回動させると、駆動ボルト１７が２本の棒状部材１８，１８と、可動フレーム９の後端部９ｂとの連結部分２１を鋭角に変化させ、可動フレーム９をその先端側へ移動させることができる。即ち、この可動フレーム９の先端部９ａに連結してある足掛止具６をベンチ５の足元側から突出させることができる。逆に、操作ハンドル２０を逆転させると、駆動ボルト１７が２本の棒状部材１８，１８と可動フレーム９の後端部９ｂとの連結部分２１を鈍角に変化させ、可動フレーム９の先端部９ａに連結してある足掛止具６をベンチ５側に戻すことができる。即ち、足掛止具６の突出距離は、この操作ハンドル２０の回動操作により、棒状部材１８，１８と可動フレーム９との連結部分２１が鈍角状態では、その突出距離は短く、操作ハンドル２０を更に回動させると、この棒状部材１８，１８と可動フレーム９との連結部分２１が鋭角になってその突出距離を長くすることができる。
【００２１】
図６及び  図７は使用者の上半身を容易に固定することができる身体固定具に係る第二の発明の実施の形態を示すものである。上記のように構成した身体伸長器１のベンチ５には使用者の上半身を固定する身体固定具２２を取り付けることができる。この身体固定具２２は、ウレタンラバー等のある程度のクッション性を有する素材から成り、使用者が仰向けに寝た状態で首から背中の形状に沿って上半身が嵌まるように凹凸面を形成した固定具本体２３から成るものである。この固定具本体２３には首を掛け止める略半円状に凹んだ首用凹部２４と、両腕を掛け止める略半円状に凹んだ２ヵ所の脇用凹部２５，２５とをそれぞれ形成したものである。なお、首用凹部２４には後頭部を支える頭部支持部２６が突設してある。この身体固定具２２は、足掛止具６で足の関節や背骨を痛める程度の強力な牽引力で足首を引っ張ったときに、使用者の両腕が両脇用凹部２５，２５から外れ、次に首が首部凹部２４から外れるために、足の関節や背骨を痛めるというおそれを解消することができるという特徴を有する。
【００２２】
なお、上記のようなクッション性を有する身体固定具２２に代えて、従来のように伸縮性を有する上半身用ベルト式の固定具（図示していない）でも、ベンチ５の頭部付近に掛け止めるように構成することも可能であり、このように上半身用ベルト式の固定具を上半身に巻き付け、身体伸長器１のベンチ５の上に仰向けに寝て、この上半身用ベルト式の固定具を固定し、両足首は足掛止具６に掛け止めて使用することができることは勿論である。
【００２３】
次に、上記構成に成る身体伸長器の使用方法を説明する。先ず、使用者は、  図８に示すように、ベンチ５上に仰向けに寝て、その状態で両足首を足掛止具６のウレタンラバー１４に掛け止める。次に、身体固定具２２の固定具本体２３上に仰向けに寝て、使用者の首を身体固定具２２の首用凹部２４部分に、両腕は両脇用凹部２５，２５部分にそれぞれ固定する。この状態で身体伸長器１への身体の固定が完了する。
【００２４】
次に、この状態で使用者は手元の操作ハンドル２０を握り、最初は軽く回転させて可動フレーム９を前方へ移動させ、この可動フレーム９と同時に移動する足掛止具６をベンチ５の端部から徐々に前方へ突出させる。これにより、下半身部分の伸長をすることができる。更に、操作ハンドル２０を回転させていくと、足掛止具６をベンチ５の端部からより突出させることができる。これにより全身を伸長させることができる。この状態で、操作ハンドル２０から手を離しても可動フレーム９は戻らないため、３分から５分間程度この伸長状態を維持する。３分から５分間程度経過したら、操作ハンドル２０を逆転させて、伸長作用がなくなるまで足掛止具６を元の位置に戻し、これで１回の伸長動作を完了する。なお、足掛止具６の突出距離が長すぎて、身体に苦痛を感じたときは操作ハンドル２０を逆転させ、足掛止具６の突出距離を元に戻す。このように操作ハンドル２０の操作で足掛止具６の突出距離を微妙に調節する。上記のような一連の動作を完了したら、ひと呼吸の間をもってから、再度同様な伸長動作を２回から３回繰り返し、１日の伸長動作のノルマを完了する。
【００２５】
使用者が身体伸長器１から足首を外すときは、操作ハンドル２０を逆転させ、可動フレーム９の突出距離を戻すことにより、足掛止具６から足を容易に外すことができる。次に、上半身は単に起き上がるだけで身体固定具２２から容易に外すことができる。身体伸長器１の使用が終了したら、可動フレーム９から足掛止具６を取り外し、固定脚３と可変脚４をそれぞれ折り畳んで部屋の隅などにコンパクトに保管する。
【００２６】
図９及び  図１０は押圧レバーで可動フレームを押圧するように構成した駆動機構及び可動フレームを固定フレーム内に摺動自在に挿通した他の発明の実施の形態を示すものである。上記のジャッキ方式に代えて、押圧レバー２７と操作アーム２８とからなる駆動機構１１に可動フレーム９を連結することができる。この駆動機構１１は、固定フレーム２の後端部２ａ近傍においてベンチ５下面に設けたブラケット２９の下部において、回動軸３０を介して押圧レバー２７をその下端部２７ａが揺動自在になるように取り付け、その押圧レバー２７の上部２７ｂに、可動フレーム９の後端部９ｂを押圧するローラー２７ｃを取り付けたものである。上記の回動軸３０の端部にはベンチ５の下面からベンチ５の上方かつ内側へ向けて大きく略コ字状に曲折した操作アーム２８の下端部２８ａの端面部分で連結固定してある。この操作アーム２８の上端部２８ｂを回動することにより、押圧レバー２７も回動し、可動フレーム９を固定フレーム２に対してベンチ５の長手方向に前後動させることができる。同時に可動フレーム９の先端部に取り付けた足掛止具６を元の位置に容易に戻るように、ばね（図示していない）を可動フレーム９と固定フレーム２との間に介在させてある。
【００２７】
なお、図９に示すように、可動フレーム９は、固定フレーム２の内部に摺動自在に挿通させることができる。即ち、固定フレーム２は断面が四角形状の金属製パイプから成り、この固定フレーム２の内径よりやや外径が小さい金属製パイプから成る可動フレーム９を摺動自在に挿通したものである。上記と同様に、この可動フレーム９の先端部９ａには足掛止具６を着脱自在に取り付けてある。なお、内側に挿通する可動フレームは２分割することも可能である。例えば、可動フレーム９を後端側と先端側に２分割し、この可動フレーム９を後端側は駆動機構１１側に常時連結しておき、この可動フレーム９の後端側に対して、可動フレーム９の先端側を着脱自在に連結するように構成する。この可動フレーム９の先端側に足掛止具６を着脱自在に取り付けて使用することができるように構成することもできる。
【００２８】
図１０は駆動機構に操作アームを連結した状態の身体伸長器を示すものである。駆動機構１１により足掛止具６を移動させるときは、操作アーム２８をベンチ５上に仰向けに寝た状態で両手を頭部方向に位置させて操作アーム２８の上端部２７ｂを握り、両手を使用者の上方から腰部方向に向けて倒すように回動すると、押圧レバー２９が可動フレーム９の後端部９ｂを固定フレーム２内において先端側へ押圧し、足掛止具６をベンチ５から離れる方向へ突出させることができる。逆に、操作アーム２８を腰部から頭部の方へ持ち上げるように逆転すると、押圧レバー２７がばねの引張力により戻され、足掛止具６をベンチ５の足元側に戻すことができる。
【００２９】
なお、ジャッキアップ方式の駆動機構１１とは異なり、可動フレーム９の移動距離の固定及びその解除は、ベンチ５の下面に設けた調節レバー３１により操作するようになっている。この調節レバー３１の先端部は、例えば可動フレーム９に側面に固定したラックの各歯部を固定する爪部を有し、このラックの歯部と調節レバー３１の爪部で固定フレーム２と可動フレーム９との位置関係が定まり、ラックの歯部は爪部と噛合し、足掛止具６が不用意に動作しないようになる。
【００３０】
図１１はラックとピニオンとから成る駆動機構の他の発明の実施の形態を示すものである。この駆動機構１１は、可動フレーム９に固着したラック３２とこのラック３２に噛合するピニオン３３とから成り、このラック３２部分においてベンチ５の下面から側方へ突出するように取り付けた操作ハンドル３４の回動操作により、この固定フレーム２に対して可動フレーム９を前後動させるようになっている。ラック３２の歯部はピニオン３３の歯部と噛合し、このピニオン３３の歯部の戻りは爪で防止するようになっている（図示していない）。而して、この操作ハンドル３４の回動操作により、可動フレーム９が固定フレーム２に対して離間し、足掛止具６をベンチ５の足元側から突出させることができる。逆に、操作ハンドル３４を解除すると、足掛止具６をベンチ５に戻すことができる。
【００３１】
更に、駆動機構１１は、操作ハンドルによりウオームギヤを回動させて、可動フレーム９を固定フレーム２内を摺動させ、足掛止具６をベンチ５の足元側から離れる方向へ突出させ、又は元の位置に戻すように構成することできる。また、油圧式シリンダーを用いて可動フレーム９を摺動させるように構成することも可能である。
【００３２】
図１２は駆動機構にエアシリンダーを用いた他の発明の実施の形態を示すものである。この駆動機構１１は、固定フレーム２にエアシリンダー３５のシリンダー３５ａを固定し、このエアシリンダー３５のロッド３５ｂを可動フレーム９側に連結したものである。このエアシリンダー３５にはホース３６に連通した小型ポンプ３７を使用者が手元で操作することにより、この固定フレーム２に対して可動フレーム９を移動させることができるようになっている。而して、この手元操作により、可動フレーム９が固定フレーム２に対して離間し、足掛止具６をベンチ５から離れる方向へ突出させることができる。逆に、エアシリンダー３５からエアを放出すると、エアシリンダー３５内のコイルばね３８の弾発力により、足掛止具６をベンチ５側に戻すことができる。
【００３３】
図１３は駆動機構にモータを用いた他の発明の実施の形態を示すものである。この駆動機構１１は、固定フレーム２に固定したモータ３９の回転軸４０にボルト４１を連結し、このボルト４１を可動フレーム９側に固定したナット４２に螺合したものである。このモータ３９には接続したリモコン４３を使用者が手元で操作することにより、この固定フレーム２に対して可動フレーム９を移動させることができるようになっている。而して、この手元操作により、可動フレーム９が固定フレーム２に対して離間し、足掛止具６をベンチ５から離れる方向へ突出させることができる。逆に、モータ３９の回転軸４０を逆回転させると、足掛止具６をベンチ５側に戻すことができる。
【００３４】
本発明に係る身体伸長器１は、固定フレーム２に固定脚３及び可変脚４とを取り付けなくても、図１２又は  図１３に示すように、ベンチ５の下面に固着した固定フレーム２の下部をそのまま、床面に載置するように構成することもできる。更に、足掛止具６の近傍にスタンド４４を設けることも可能である。このスタンド４４は、使用していない身体伸長器１を部屋の隅に立て掛け保管するときの台になる部分である。
【００３５】
【発明の効果】
本発明に係る身体伸長器は、以上のように構成したから、使用者はベンチに座り、両足首を足掛止具に掛け止め、その状態から仰向けに寝て、使用者自身が手元の操作で駆動機構を駆動させ、足掛止具の突出動作を容易に行うことができるため、背骨、腰椎又は両足の関節の歪曲を矯正して安全にかつ容易に身体を伸長させることができる。身体固定具は上半身を掛け止めるだけで、固定が完了するため、足首と上半身の固定を容易にかつ迅速に行うことができる。
【００３６】
また、駆動機構を使用者自身が操作することができるため、足掛止具の突出距離を微妙に調節することができ、安全な状態で背骨、腰椎又は両足の関節の歪曲を矯正して適切かつ安全に伸長操作を行うことができる等の優れた特徴を有するものであり、本発明実施による効果は極めて大きい。
【図面の簡単な説明】
【  図１】本発明に係る身体伸長器の第一の発明の実施の形態を示す全体斜視図である。
【図２】可変脚をベンチの下側から見た状態を示す要部斜視図である。
【図３】足掛止具を前後動させる可動フレームと、固定フレームとの関係を示す要部拡大側面図である。
【図４】足掛止具を示す要部拡大斜視図である。
【  図５】ジャッキアップ方式の駆動機構をベンチの下側から見た状態を示す要部斜視図である。
【図６】使用者の上半身を固定する身体固定具に関する第二の発明の実施の形態を示す斜視図である。
【図７】身体伸長器のベンチに身体固定具を載置した状態を示す斜視図である。
【図８】身体固定具を具備した身体伸長器を使用する状態を示す斜視図である。
【図９】押圧レバーで可動フレームを押圧するように構成した駆動機構及び可動フレームを固定フレーム内に摺動自在に挿通した他の発明の実施の形態を示す要部側断面図である。
【図１０】押圧レバーで可動フレームを押圧するように構成した駆動機構に操作アームを連結した他の発明の実施の形態を示す全体斜視図である。
【図１１】ラックとピニオンとから成る駆動機構の他の発明の実施の形態を示す要部側断面図である。
【図１２】エアシリンダーから成る駆動機構の他の発明の実施の形態を示す一部切欠いた要部側面図である。
【図１３】駆動機構にモータを用いた他の発明の実施の形態を示す一部切欠いた要部側面図である。
【図１４】従来の傾斜式の身体伸長器を示す斜視図である。
【図１５】従来の牽引式の身体伸長器を示す斜視図である。
【符号の説明】
１    身体伸長器
２    固定フレーム
３ 固定脚
４ 可変脚
５    ベンチ
６    足掛止具
７ ブラケット
９    可動フレーム
９ａ    先端部
９ｂ    後端部
１０ 挿通枠
１１    駆動機構
１２ 略Ｌ字状の支持枠
１３ 棒状部材（足掛止具用）
１６    ブラケット
１７    駆動ボルト
１８    棒状部材（駆動機構用）
２０    操作ハンドル
２１    連結部分
２２    身体固定具
２３    固定具本体
２４    首部凹部
２５    腕部凹部
２６    頭部支持部
２７ 押圧レバー
２８ 操作アーム
２９ ブラケット
３０ 回動軸
【図１】
0003589341.tif 000002
【図２】
0003589341.tif 000003
【図３】
0003589341.tif 000004
【図４】
0003589341.tif 000005
【図５】
0003589341.tif 000006
【図６】
0003589341.tif 000007
【図７】
0003589341.tif 000008
【図８】
0003589341.tif 000009
【図９】
0003589341.tif 000010
【図１０】
0003589341.tif 000011
【図１１】
0003589341.tif 000012
【図１２】
0003589341.tif 000013
【図１３】
0003589341.tif 000014
【図１４】
0003589341.tif 000015
【図１５】
0003589341.tif 000016